(57)【要約】【課題】溶接線の径が多様に変化する筒形状部材であっても、計測機器の種類を増やすことなく、また、計測作業時間の増大を極力抑制する。【解決手段】カメラ装置４が第１の撮影位置での溶接裏波８の全周にわたる撮影を終了すると、その装置本体４１は移動ステージ４２により第２の撮影位置に移動され、同様に、溶接裏波８の全周にわたる撮影を行う。このときの第１の撮影位置から第２の撮影位置までの距離Ｌは、第１の撮影位置におけるカメラ装置４と、撮影対象地点である溶接裏波８との間の距離Ｈに応じて設定される。そして、これら２個所の撮影位置で撮影された画像情報により、三角測量の原理に基づき溶接裏波８の３次元形状情報が演算され、この３次元形状情報に基づき突き合わせ溶接部の溶接品質が評価される。【選択図】図３
2012112694.tif 000002
【特許請求の範囲】
【請求項１】
突き合わせ溶接部を全周にわたって有する筒形状部材の内部に移動可能に配置され、この突き合わせ溶接部の溶接裏波形状を全周にわたって撮影するためのカメラ装置と、
前記溶接裏波形状について、前記筒形状部材の軸方向又は径方向における予め設定された第１及び第２の撮影位置での全周にわたる画像情報が得られるように、前記カメラ装置のカメラ本体の移動動作及び撮影動作を制御するカメラ制御手段と、
前記カメラ制御手段が取得した前記第１及び第２の撮影位置での画像情報に基づき、前記溶接裏波形状の全周にわたる３次元形状情報を演算する溶接裏波３次元形状演算手段と、
前記溶接裏波３次元形状演算手段が演算した前記溶接裏波形状の３次元形状情報に基づき、前記突き合わせ溶接部の溶接品質を評価する溶接品質評価手段と、
を備えたことを特徴とする突き合わせ溶接部の溶接品質評価装置。
【請求項２】
前記カメラ装置の台数は２台であり、これら２台のカメラ装置が前記筒形状部材の軸方向に前記突き合わせ溶接部を挟んで対向して配置されている、
ことを特徴とする請求項１記載の突き合わせ溶接部の溶接品質評価装置。
【請求項３】
前記カメラ装置の台数は２台であり、これら２台のカメラ装置が前記全周にわたる突き合わせ溶接部の径方向に並んで配置されている、
ことを特徴とする請求項１記載の突き合わせ溶接部の溶接品質評価装置。
【請求項４】
前記カメラ装置は、前記突き合わせ溶接部の溶接裏波からの光を略直角方向に反射させるミラー部材を介して入射する撮像素子を有するものであり、このミラー部材の３６０度の回転により前記突き合わせ溶接部の溶接裏波形状を全周にわたって撮影するものである、
ことを特徴とする請求項１記載の突き合わせ溶接部の溶接品質評価装置。
【請求項５】
前記第１及び第２の撮影位置間の距離は、前記カメラ本体と前記溶接裏波の撮影対象地点との距離に応じて設定されるものである、
ことを特徴とする請求項１記載の突き合わせ溶接部の溶接品質評価装置。
【請求項６】
前記溶接品質評価手段は、前記全周にわたる３次元形状情報から前記溶接裏波に関して、最大高さ、平均高さ、平均裏波幅を算出し、これらの算出値から溶接品質評価に関する指標値を求め、この指標値に基づき前記突き合わせ溶接部の溶接品質を評価するものである、
ことを特徴とする請求項１記載の突き合わせ溶接部の溶接品質評価装置。
【請求項７】
前記溶接品質評価手段は、前記全周にわたる３次元形状情報から前記溶接裏波の表面に現れたウロコ模様の間隔を求め、この間隔に基づき前記突き合わせ溶接部の溶接品質を評価するものである、
ことを特徴とする請求項１記載の突き合わせ溶接部の溶接品質評価装置。
【請求項８】
前記溶接品質評価手段は、前記全周にわたる３次元形状情報から前記溶接裏波の表面形状について円弧近似を行い、この円弧近似により求めた円弧が凹凸のいずれの形状であるか、及び凸形状である場合の曲率の値に基づき前記突き合わせ溶接部の溶接品質を評価するものである、
ことを特徴とする請求項１記載の突き合わせ溶接部の溶接品質評価装置。
【発明の詳細な説明】
【技術分野】
【０００１】
本発明は、溶接裏波形状の外観から筒形状部材の突き合わせ溶接部の溶接品質を評価する、突き合わせ溶接部の溶接品質評価装置に関するものである。
【背景技術】
【０００２】
各種配管部材、発電ロータのシャフト部、超伝導加速空洞などの長尺の筒形状部材は、複数の短い筒形状部材が多層突き合わせ溶接されることにより形成されている。筒形状部材同士を突き合わせ溶接する場合、溶接作業にとって充分な内部スペースを確保できないことが多いため、通常、この突き合わせ溶接は外面からのみの片側溶接となる。
【０００３】
このような外面からのみの片側溶接では、初層溶接において「溶け落ち」や「溶け込み不良」などの溶接不良が発生し易くなっている。したがって、初層溶接終了後には突き合わせ溶接部に対して、例えば特許文献１に見られるように、溶接裏波形状を検査するなどして突き合わせ溶接部の溶接品質を評価する必要がある。
【０００４】
この特許文献１で実施されていた溶接裏波形状の検査は、筒形状部材の外面側に取り付けた超音波センサにより溶接肉盛り部全体の厚さを測定し、この測定値から部材の板厚及び外面側の肉盛り高さを差し引くことにより裏波高さを求めるものであった。
【先行技術文献】
【特許文献】
【０００５】
【特許文献１】特開２００４−２８８９９号公報
【発明の概要】
【発明が解決しようとする課題】
【０００６】
しかし、特許文献１に係る溶接裏波形状の検査で用いられている超音波センサは、筒形状部材の外面側に取り付けられているものであるため、溶接裏波部分を含めた全体の厚さについて一定レベル以上の測定精度を求めるのは困難であり、したがって、得られた裏波高さのデータについても一定レベル以上の精度を求めるのは困難であると考えられる。
【０００７】
そこで、本願発明の発明者は、従来から筒形状部材の内部に形状センサを挿入し、この形状センサの測定により溶接裏波の高さを求める手法を試みている。ところが、形状センサは、一般に、センサ位置と測定対象地点との間の測定可能距離が固定化されており、筒形状部材の内径が場所によって変化するような場合には有効に対処することができなかった。
【０００８】
例えば、図１１（ａ）に示すように、筒形状部材としての配管１０１は、複数本のストレートパイプ１０１ａが溶接により接合されて形成されており、どの個所の溶接線１０２も同一径である。そして、形状センサ１０３を配管１０１の中心に配置したときの、形状センサ１０３と溶接線１０２の溶接裏波との間の距離がＤ0であれば、形状センサ１０３には、計測対象距離Ｄ0の仕様を具備するものを用いればよい。
【０００９】
ところが、図１１（ｂ）に示すように、筒形状部材としての超伝導加速空洞１０４は、一端側に大径の開口部、他端側に小径の開口部を有する杯形状の複数の空洞セル１０４ａが溶接により接合されて形成されているため、その溶接線も大径の溶接線１０５及び小径の溶接線１０６の２種類となる。したがって、溶接線１０５の溶接裏波を計測するため計測対象距離Ｄ1の仕様を具備する形状センサ１０７を用いたとすると、この形状センサ１０７では溶接線１０６の溶接裏波を計測することができない。溶接線１０６の溶接裏波を計測するためには計測対象距離Ｄ2の仕様を具備する別の形状センサ１０８を用いる必要がある。
【００１０】
つまり、超伝導加速空洞１０４の全ての溶接線の溶接裏波を計測するためには、最初に形状センサ１０７により溶接線１０５の溶接裏波を計測し、この計測作業が終了した後、形状センサ１０７を形状センサ１０８に交換して、再度同様の計測作業を行わなければならない。そのため、図１１（ａ）の配管１０１の計測作業に比べて、その作業時間も非常に長いものとなっていた。
【００１１】
更に、上述した超伝導加速空洞１０４では、溶接線の径の種類が２種類であったが、３種類以上に多様に変化する筒形状部材に対して溶接裏波を計測する場合には、３種類以上の計測センサを用意すると共に、３回以上のセンサ交換作業、及び計測作業を行わなければならず、作業時間の増大は一層甚だしいものとなる。
【００１２】
本発明は上記事情に鑑みてなされたものであり、溶接線の径が多様に変化する筒形状部材であっても、計測機器の種類を増やすことなく、また、計測作業時間の増大を極力抑制することが可能な突き合わせ溶接部の溶接品質評価装置を提供することを目的としている。
【課題を解決するための手段】
【００１３】
本発明は、上記課題を解決するための手段として、突き合わせ溶接部を全周にわたって有する筒形状部材の内部に移動可能に配置され、この突き合わせ溶接部の溶接裏波形状を全周にわたって撮影するためのカメラ装置と、前記溶接裏波形状について、前記筒形状部材の軸方向又は径方向における予め設定された第１及び第２の撮影位置での全周にわたる画像情報が得られるように、前記カメラ装置のカメラ本体の移動動作及び撮影動作を制御するカメラ制御手段と、前記カメラ制御手段が取得した前記第１及び第２の撮影位置での画像情報に基づき、前記溶接裏波形状の全周にわたる３次元形状情報を演算する溶接裏波３次元形状演算手段と、前記溶接裏波３次元形状演算手段が演算した前記溶接裏波形状の３次元形状情報に基づき、前記突き合わせ溶接部の溶接品質を評価する溶接品質評価手段と、を備えたことを特徴とする。
【発明の効果】
【００１４】
本発明によれば、溶接線の径が多様に変化する筒形状部材であっても、計測機器の種類を増やすことなく、また、計測作業時間の増大を極力抑制することが可能になる。
【図面の簡単な説明】
【００１５】
【図１】本発明の第１の実施形態に係る突き合わせ溶接部の溶接品質評価装置の構成を示す説明図。
【図２】図１におけるカメラ装置４の構成及び動作についての説明図であり、（ａ）は装置本体４１が第１の撮影位置にある場合、（ｂ）は装置本体４１が第２の撮影位置にある場合を示す。
【図３】図１におけるカメラ装置４の第１の撮影位置及び第２の撮影位置の各視野範囲と、撮影対象である溶接裏波８との位置関係を示す説明図。
【図４】図１における溶接品質評価手段７が、溶接裏波のウロコ模様間隔の広狭から溶接品質を評価する方法についての説明図。
【図５】図１における溶接品質評価手段７が、溶接裏波の表面形状について円弧近似を行うことに基づき溶接品質を評価する方法についての説明図であり、（ａ）は円弧近似の結果が凸形状である場合、（ｂ）は円弧近似の結果が凹形状である場合を示す。
【図６】本発明の第２の実施形態に係る突き合わせ溶接部の溶接品質評価装置の構成を示す説明図。
【図７】図６におけるカメラ装置４Ａ，４Ｂの第１の撮影位置及び第２の撮影位置の各視野範囲と、撮影対象である溶接裏波８との位置関係を示す説明図。
【図８】本発明の第３の実施形態に係る突き合わせ溶接部の溶接品質評価装置の説明図であり、（ａ）は構成図、（ｂ）は（ａ）のＢ−Ｂ矢視図。
【図９】図８におけるカメラ装置４Ａ，４Ｂの第１の撮影位置及び第２の撮影位置と、撮影対象である溶接裏波８との位置関係を示す説明図。
【図１０】本発明の第４の実施形態に係る突き合わせ溶接部の溶接品質評価装置の要部構成を示す説明図。
【図１１】従来技術についての説明図であり、（ａ）は筒形状部材がストレート形状の配管である例を示し、（ｂ）は筒形状部材が径の異なる個所を有する超伝導加速空洞である例を示している。
【発明を実施するための形態】
【００１６】
図１は、本発明の第１の実施形態に係る突き合わせ溶接部の溶接品質評価装置の構成を示す説明図である。
【００１７】
筒形状部材である超伝導加速空洞１は、複数個の空洞セル１ａが全周にわたって突き合わせ溶接されることにより形成されている。各空洞セル１ａは、一端側が大径の開口部、他端側が小径の開口部を有しており、上記の突き合わせ溶接は、大径の開口部同士、及び小径の開口部同士を突き合わせて行われている。したがって、超伝導加速空洞１には、大径の溶接線２と小径の溶接線３の２種類の溶接線が形成されている。
【００１８】
超伝導加速空洞１の内径の中心位置には１台のカメラ装置４が移動可能に配置されている。このカメラ装置４は、カメラ制御手段５の制御によって、矢印Ｙ1，矢印Ｙ3で示すように軸方向への水平移動、及び矢印Ｙ2で示すように周方向に沿って回転移動が行われるようになっている。
【００１９】
ここで、矢印Ｙ1で示す軸方向への水平移動とは、後述する移動ステージの駆動による第１の撮影位置から第２の撮影位置までの短い距離の水平移動動作のことを指し、矢印Ｙ3で示す軸方向への水平移動とは、水平移動駆動機構（図示せず）による溶接線２から溶接線３までの長い距離の水平移動動作のことを指している。また、矢印Ｙ2で示す周方向に沿った回転移動とは、回転移動駆動機構（図示せず）による全周にわたる回転移動動作のことを指している。
【００２０】
カメラ制御手段５は、上記のようなカメラ装置４の移動動作の制御を行うが、更に撮影の開始及び停止等の撮影動作の制御についても行う。そして、カメラ装置４から送出されてきた画像情報を入力し、これを溶接裏波３次元形状演算手段６に出力する。
【００２１】
溶接裏波３次元形状演算手段６は、カメラ制御手段５からの画像情報を入力すると、この画像情報に基づいて溶接裏波の３次元形状を演算により求め、その３次元形状情報を溶接品質評価手段７に出力する。
【００２２】
溶接品質評価手段７は、この溶接裏波３次元形状演算手段６からの３次元形状情報に基づき突き合わせ溶接部の溶接裏波についての溶接品質を評価する。
【００２３】
図２は、図１におけるカメラ装置４の構成及び動作についての説明図であり、（ａ）は装置本体４１が第１の撮影位置にある場合、（ｂ）は装置本体４１が第２の撮影位置にある場合を示している。
【００２４】
カメラ装置４は、装置本体４１と、この装置本体４１を予め設定された距離、つまり「第１の撮影位置」と「第２の撮影位置」との間の距離だけ移動させるための移動ステージ４２とで構成されている。
【００２５】
装置本体４１は、内部にCCDなどの撮像素子を有するカメラ４３と、このカメラ４３と撮影対象との間に介在して光軸OAを略直角方向に反射させるミラー部材４４とを備えている。そして、ミラー部材４４から垂直方向に伸びている光軸OAを中心とした視野角θの内側がカメラ４３の視野範囲となる。
【００２６】
図２（ａ）のように、第１の撮影位置では装置本体４１及び移動ステージ４２の両端部は一致しているが、図２（ｂ）のように、第２の撮影位置では移動ステージ４２が装置本体４１を前方に送り出すので、装置本体４１の大半の部分が移動ステージ４２の片側端部から突出した状態となる。
【００２７】
図３は、カメラ装置４の第１の撮影位置及び第２の撮影位置の各視野範囲と、撮影対象である溶接裏波８との位置関係を示す説明図である。
【００２８】
第１の撮影位置において、カメラ装置４のミラー部材４４（図３では図示略）は、好ましくは溶接裏波８の真下に位置している。したがって、第１の撮影位置では視野範囲Ｖ1のほぼ中央に溶接裏波８が位置した状態となる。そして、移動ステージ４２により装置本体４１が距離Ｌだけ右方の第２の撮影位置に移動すると、そのときの視野範囲Ｖ2の左端付近に溶接裏波８が位置した状態となる。このときの第１の撮影位置から第２の撮影位置までの距離Ｌは、第１の撮影位置におけるカメラ装置４と、撮影対象地点である溶接裏波８との間の距離Ｈに応じて設定されるようになっている。
【００２９】
溶接裏波３次元形状演算手段６は、カメラ装置４が撮影した第１の撮影位置における画像情報、及び第２の撮影位置における画像情報の双方をカメラ制御手段５を介して入力し、これらの画像情報に基づいて溶接裏波８の３次元形状を演算する。
【００３０】
このときの溶接裏波３次元形状演算手段６が行う演算手法は、第１の撮影位置で得られた画像情報と、第２の撮影位置で得られた画像情報との間でブロックマッチング処理を行うことにより互いの対応点位置を特定し、三角測量の原理に基づき、各対応点位置とカメラ位置との関係をカメラ４３の撮像素子と溶接裏波８表面との間の距離に変換して溶接裏波８の３次元形状を求めるものである。この３次元形状の演算手法は、例えば再公表公報WO2008/153127に記載された検査測定装置においても用いられており、その技術内容は公知のものであるため詳しい説明は省略する。
【００３１】
溶接品質評価手段７は、溶接裏波３次元形状演算手段６から演算結果である３次元形状情報を入力すると、突き合わせ溶接部の溶接品質についての評価を行う。評価の方法としては、現在のところ、例えば次のような３つの方法が考えられている。
【００３２】
第１番目の評価方法は、全周にわたって溶接裏波の最大高さh-max、平均高さh-ave、及び溶接裏波幅wを算出しておき、これらの算出値から溶接品質評価に関する指標値として、最大高さh-maxと溶接裏波幅wとの比h-max/w、及び平均高さh-aveと溶接裏波幅wとの比h-ave/wを求め、これら指標値が所定範囲内である場合は正常な溶接であると評価するものである。なお、場合によっては溶接裏波の最大高さh-max、及び平均高さh-aveのみを算出しておき、これらの算出値が一定範囲内であれば正常な溶接である、と評価する簡易な評価方法を採用することもあり得る。
【００３３】
第２番目の評価方法は、溶接裏波のウロコ模様間隔の広狭から溶接品質を評価するものである。例えば、図４に示した溶接裏波８において、上段に図示したようにウロコ模様間隔が狭い場合には異常な溶接、中段に図示したようにウロコ模様間隔が適正な場合には正常な溶接、下段に図示したようにウロコ模様間隔が広い場合には異常な溶接と評価する。
【００３４】
第３番目の評価方法は、溶接裏波の表面形状について円弧近似を行い、この円弧近似により求めた円弧が凹凸のいずれの形状であるかを判断し、この判断結果が凸形状である場合にはその曲率の値に基づき溶接品質を評価するものである。例えば、図５（ａ）に示すように、円弧近似を行った結果が凸形状であり、且つその場合の曲率が一定範囲以内であれば正常な溶接と評価する。一方、図５（ｂ）に示すように、円弧近似を行った結果が凹形状であれば、その曲率を判断するまでもなく異常な溶接と評価する。
【００３５】
なお、本願発明における評価方法は上記の３つの方法のみに限定されるわけではない。例えば、上記の３つの方法のうちのいくつかを適宜組合せ、最も評価の精度が優れているものを採用するようにすることもできる。
【００３６】
次に、上記のように構成される第１の実施形態に係る装置の動作につき説明する。図１に示すように、カメラ装置４が超伝導加速空洞１の内部に配置される。このとき、図１では図示を省略しているが、内部のミラー部材４４が溶接線２（大径側）の真下にくるように位置が調整されている（この位置は第１の撮影位置である）。カメラ制御手段５は、図示が省略されている回転駆動機構によりカメラ装置４を矢印Ｙ2方向に回転させながら、第１の撮影位置でのカメラ装置４の撮影を開始し、溶接裏波８の形状の撮影を全周にわたって行うようにする。そして、カメラ制御手段５は、内部に有している記憶手段（図示せず）にこのときのカメラ装置４からの画像情報を記憶する。
【００３７】
次いで、カメラ装置４が第１の撮影位置での溶接裏波８の全周にわたる撮影を終了すると、カメラ制御手段５はカメラ装置４を矢印Ｙ1方向に水平移動させて第２の撮影位置に位置させる。尤も、この水平移動はカメラ装置４の全体を移動させるわけではなく、移動ステージ４２の制御により、図２（ｂ）に示すように、装置本体４１のみを前方に送り出すだけである。
【００３８】
次いで、カメラ制御手段５は、第１の撮影位置における場合と同様の制御を行う。つまり、カメラ制御手段５は、図示が省略されている回転駆動機構によりカメラ装置４を矢印Ｙ2方向に回転させながら、第２の撮影位置でのカメラ装置４の撮影を開始し、溶接裏波８の形状の撮影を全周にわたって行うようにする。そして、カメラ制御手段５は、内部に有している記憶手段（図示せず）にこのときのカメラ装置４からの画像情報を記憶する。
【００３９】
上記のように、溶接線２（大径）の溶接裏波８について、カメラ装置４が第１及び第２の撮影位置での溶接裏波８の全周にわたる撮影を終了すると、カメラ制御手段５は、今度はカメラ装置４の全体を図示が省略されている水平移動機構により矢印Ｙ3方向に水平移動させて溶接線３（小径）の真下にくるように位置させる。
【００４０】
そして、カメラ制御手段５は、カメラ装置４に対して上記と同様の制御を行って、溶接線２（小径）の溶接裏波８について、第１及び第２の撮影位置での溶接裏波８の全周にわたる撮影を終了させる。但し、溶接線２と溶接線３とでは内径が異なるため、図３における第１の撮影位置におけるカメラ装置４と撮影対象地点である溶接裏波８との間の距離Ｈ、及び第１の撮影位置から第２の撮影位置までの距離Ｌも異なる値となる。
【００４１】
以下、同様にして、超伝導加速空洞１の全ての溶接線２（大径）及び溶接線３（小径）の溶接裏波８について、カメラ制御手段５は、カメラ装置４に第１及び第２の撮影位置での溶接裏波８の全周にわたる撮影を終了させることができる。
【００４２】
そして、その後、カメラ制御手段５は、自己の記憶手段に記憶しておいた溶接裏波８の形状についての画像情報を溶接裏波３次元形状演算手段６に出力する。
【００４３】
溶接裏波３次元形状演算手段６は、全ての溶接線２及び溶接線３に係る溶接裏波８の３次元形状情報を、カメラ制御手段５からの第１及び第２の撮影位置での画像情報に基づき演算する。
【００４４】
溶接品質評価手段７は、溶接裏波３次元形状演算手段６が演算した溶接裏波８の形状の３次元形状情報に基づき、突き合わせ溶接部の溶接品質の評価を行う。このときの評価の方法は、前述した３つの方法のうちのいずれか、あるいはこれらの組合せを用いたものである。
【００４５】
上述した第１の実施形態に係る突き合わせ溶接部の溶接品質評価装置によれば、第１及び第２の撮影位置における画像情報に基づき溶接裏波形状の全周にわたる３次元形状情報を演算し、この３次元形状情報に基づき突き合わせ溶接部の溶接品質を評価する構成としているので、溶接線の径が多様に変化する筒形状部材であっても、使用するカメラ装置の台数は１台のみで足り、計測作業時間の増大を大幅に抑制することが可能になる。
【００４６】
図６は、本発明の第２の実施形態に係る突き合わせ溶接部の溶接品質評価装置の構成を示す説明図である。図６が図１と異なる点は、超伝導加速空洞１内部に２台のカメラ装置４Ａ，４Ｂが配置されており、カメラ制御手段５はこれら２台のカメラ装置４Ａ，４Ｂに対して制御を行うと共に、これら２台のカメラ装置４Ａ，４Ｂからの画像情報を入力するようになっている点である。
【００４７】
図７は、図６におけるカメラ装置４Ａ，４Ｂの第１の撮影位置及び第２の撮影位置の各視野範囲と、撮影対象である溶接裏波８との位置関係を示す説明図である。
【００４８】
図７では図３の場合とは異なりカメラ装置の台数が２台になっているので、溶接裏波８の真下からやや左右にずれてカメラ装置４Ａ，４Ｂの各第２の撮影位置が設定されており、更にその外側に各第１の撮影位置が設定されている。
【００４９】
したがって、各第１の撮影位置では視野範囲Ｖ1a，Ｖ1bの端部付近に溶接裏波８が位置した状態となり、また、各第２の撮影位置では視野範囲Ｖ2a，Ｖ2bのほぼ中央に溶接裏波８が位置した状態となる。このときの各第１の撮影位置から各第２の撮影位置までの距離Ｌは、既述した第１の実施形態の場合と同様に、各第１の撮影位置におけるカメラ装置４Ａ，４Ｂと、撮影対象地点である溶接裏波８との間の距離Ｈに応じて設定されるようになっている。
【００５０】
この第２の実施形態は、第１の実施形態においてカメラ装置の台数を２台にした点が異なるのみであり、その動作も基本的には第１の実施形態と同様であるため、動作についての説明は省略する。
【００５１】
但し、この第２の実施形態では、溶接裏波８を中央に挟んで左右２台のカメラ装置４Ａ，４Ｂが異なる方向から形状の撮影を行っているので、溶接裏波３次元形状演算手段６の演算結果は、第１の実施形態に比べて実際の形状により忠実なものとなることが期待される。
【００５２】
図８は、本発明の第３の実施形態に係る突き合わせ溶接部の溶接品質評価装置の説明図であり、（ａ）は構成図、（ｂ）は（ａ）のＢ−Ｂ矢視図である。
【００５３】
既述した第１及び第２の実施形態では、カメラ装置４及びカメラ装置４Ａ，４Ｂの第１の撮影位置から第２の撮影位置への移動は、超伝導加速空洞１の軸方向への移動であったが、この第３の実施形態では超伝導加速空洞１の径方向への移動になっている。
【００５４】
その理由は、例えば超伝導加速空洞１の製造途中の段階において、或る空洞セル１ａの大径側開口部に蓋部材９が取り付けられているような場合、あるいは蓋部材９の位置に何らかの障害物が存在するような場合、カメラ装置は、第１及び第２の実施形態における第２の撮影位置に相当する位置まで軸方向へ移動することができなくなる。そこで、本実施形態では、このような場合には、カメラ装置を軸方向ではなく矢印Ｙ4で示す径方向に移動させることによって溶接裏波８の形状についての画像情報を取得できるようにしている。
【００５５】
図９は、図８におけるカメラ装置４Ａ，４Ｂの第１の撮影位置及び第２の撮影位置と、撮影対象である溶接裏波８との位置関係を示す説明図である。カメラ装置４Ａ，４Ｂは、第１の撮影位置においては互いに接近した状態で位置しており、カメラ制御手段５は、まずこの状態で図示が省略されている回転駆動機構によりカメラ装置４Ａ，４Ｂを回転させながら（回転中心はカメラ装置４Ａ，４Ｂの中間地点である）溶接裏波８の形状を撮影する。
【００５６】
次いで、カメラ制御手段５は、図示が省略されている水平移動機構によりカメラ装置４Ａ，４Ｂを径方向に移動させて両者を離間し、これらを第２の撮影位置に位置させる。そして、上記と同様にして、図示が省略されている回転駆動機構によりカメラ装置４Ａ，４Ｂを回転させながら（回転中心はカメラ装置４Ａ，４Ｂの中間地点である）溶接裏波８の形状を撮影する。
【００５７】
これ以降の溶接裏波３次元形状演算手段６及び溶接品質評価手段７の処理内容は、第１及び第２の実施形態の場合と略同様であるため、その説明を省略する。なお、本実施形態では２台のカメラ装置４Ａ，４Ｂを径方向に並んで配置させ、これらを第１の撮影位置から第２の撮影位置まで径方向移動させた例について説明したが、カメラ装置の台数を１台とすることも勿論可能である。蓋部材９
このように、本実施形態によれば、カメラ装置の第１の撮影位置から第２の撮影位置までの移動を、何らかの理由により軸方向への水平移動によっては行うことができないような場合であっても、径方向への移動によって代替することにより、溶接裏波の形状についての撮影を行うことが可能になる。
【００５８】
図１０は、本発明の第４の実施形態に係る突き合わせ溶接部の溶接品質評価装置の要部構成を示す説明図である。本実施形態では、カメラ装置４の装置本体４１内部のミラー部材４４が回転軸４５を介してミラー駆動部４６により回転駆動されるようになっており、カメラ制御手段５はこのミラー駆動部４６を制御するミラー回転制御手段１０を有する構成になっている。
【００５９】
これまでの実施形態におけるカメラ装置４（又は４Ａ，４Ｂ）は、図示が省略されている回転駆動機構により回転されながら溶接裏波８の形状の撮影を全周にわたって行うものであった。しかし、超伝導加速空洞１の内部スペースは、常にこのような回転駆動機構の配置を許容できるほどに大きなものであるとは限らない。そこで、本実施形態では、このような回転駆動機構を用いることなく、溶接裏波８の形状の撮影を全周にわたって行うことが可能な構成を提供することにしたものである。
【００６０】
本実施形態によれば、溶接裏波８の形状を全周にわたって撮影しようとする場合、ミラー回転制御手段１０がミラー駆動部４６に対する制御により、回転軸４５を介してミラー部材４４のみを回転させるようにする。したがって、カメラ装置４そのものは静止した状態でありながら、全周にわたって溶接裏波８の形状を撮影することが可能になるので、回転駆動機構を省略した構成とすることができる。
【符号の説明】
【００６１】
１：超伝導加速空洞（筒形状部材）
１ａ：空洞セル
２：溶接線（大径）
３：溶接線（小径）
４，４Ａ，４Ｂ：カメラ装置
４１：装置本体
４２：移動ステージ
４３：カメラ
４４：ミラー部材
４５：回転軸
４６：ミラー駆動部
５：カメラ制御手段
６：溶接裏波３次元形状演算手段
７：溶接品質評価手段
８：溶接裏波
９：蓋部
１０：ミラー回転制御手段
OA：光軸
θ：視野角
Ｖ1：第１の撮影位置での視野範囲
Ｖ2：第２の撮影位置での視野範囲
Ｌ：第１の撮影位置と第２の撮影位置との間の距離
Ｈ：カメラ装置と撮影対象地点との間の距離
【図１】
2012112694.tif 000003
【図２】
2012112694.tif 000004
【図３】
2012112694.tif 000005
【図４】
2012112694.tif 000006
【図５】
2012112694.tif 000007
【図６】
2012112694.tif 000008
【図７】
2012112694.tif 000009
【図８】
2012112694.tif 000010
【図９】
2012112694.tif 000011
【図１０】
2012112694.tif 000012
【図１１】
2012112694.tif 000013